(57)【要約】      （修正有）【課題】端子の抵抗を調整できると共に、端子同士間の共振現象を改善するコネクタ端子セットを提供する。【解決手段】二つの信号端子を有する一対の信号端子セット１１１と、二つの接地端子を有する一対の接地端子セット１２を備えるコネクタに用いられる端子セット１であって、二つの前記信号端子は横方向に第一間隔を置いて配置され、かつそれぞれ第一凹部１１１２１を有し、前記第一凹部は当該信号端子の長手方向に向いて開口されている。一対の接地端子セット１２は、それぞれ第二凹部１２１２１を備える。前記第二凹部は接地端子１２１の長手方向に向いて開口され、前記接地端子と前記信号端子は横方向に第二間隔を置いて配置されている。前記第一間隔は、前記第二間隔より小さい。前記接地端子は横方向に少なくとも一つの突出部を有する。これにより端子の抵抗を調整できると共に、端子同士間の共振現象を改善することができる。【選択図】図１
0003186515.tif 000002
【実用新案登録請求の範囲】
【請求項１】
二つの信号端子を有する一対の信号端子セットと、二つの接地端子を有する一対の接地端子セットを備えるコネクタに用いられる端子セットであって、
前記信号端子は、横方向に所定の間隔を置いて配置され、且つそれぞれ当該信号端子の長手方向に向いて開口する第一凹部を有するものであり、
一対の前記信号端子が二つの前記接地端子の間に配置されており、
前記接地端子はそれぞれ当該接地端子の長手方向に向いて開口する第二凹部を有するものであり、
前記接地端子と前記信号端子とは横方向に所定の間隔を置いて配置されていることを特徴とするコネクタ用端子セット。
【請求項２】
前記信号端子はそれぞれ第一電気接続部と第一固定部とをＶ字状に接続している構造を有し、
前記第一凹部は前記第一固定部または前記第一電気接続部に配置されており、
前記接地端子はそれぞれ第二電気接続部と第二固定部とをＶ字状に接続している構造を有するものであり、
前記第二凹部は第二固定部または第二電気接続部に配置されていることを特徴とする請求項１に記載のコネクタ用端子セット。
【請求項３】
前記第一凹部が前記第一固定部に配置された場合、前記第一凹部の開口部は、前記第一電気接続部に対して逆方向または同方向にするように配置されており、
前記第一凹部が前記第一電気接続部に配置された場合、前記第一凹部の開口部が前記第一固定部に対して逆方向または同方向にするように配置されており、
前記第二凹部が前記第二固定部に配置された場合、前記第二凹部の開口部が前記第二電気接続部に対して逆方向または同方向にするように配置されており、
前記第二凹部が第二電気接続部に配置された場合、前記第二凹部の開口部が、第二固定部に対して逆方向または同方向にするように配置されていることを特徴とする請求項２に記載のコネクタ用端子セット。
【請求項４】
前記第一電気接続部の端部と前記第二電気接続部の端部は、それぞれアーク状の電気接続部を有することを特徴とする請求項２に記載のコネクタ用端子セット。
【請求項５】
前記第一固定部の端部及び前記第二固定部の端部は、それぞれ前記第一電気接続部及び前記第二電気接続部に対して逆方向または同方向にするように配置されており、かつ固定接続部を延伸して有するものであることを特徴とする請求項２に記載のコネクタ用端子セット。
【請求項６】
二つの信号端子を有する一対の信号端子セットと、二つの接地端子を有する一対の接地端子セットとを備え、コネクタに用いられる端子セットであって、
前記二つの信号端子は、互いに横方向に第一間隔を置いて配置され、かつそれぞれ信号端子の長手方向に向いて開口する第一凹部を有するものであり、
前記一対の信号端子が二つの前記接地端子の間に配置されており、
前記接地端子はそれぞれ接地信号の長手方向に向いて開口する第二凹部を有するものであり、前記接地端子は前記信号端子とは横方向に第二間隔を置いて配置されており、前記第一間隔は前記第二間隔より小さくなり、前記接地端子はそれぞれ横方向に少なくとも一つの突出部を有することを特徴とするコネクタ用端子セット。
【請求項７】
前記信号端子はそれぞれ第一電気接続部と第一固定部をＶ字状に接続している構造を有するものであり、
前記第一凹部は、前記第一固定部または前記第一電気接続部に配置されており、
前記接地端子はそれぞれ第二電気接続部と第二固定部をＶ字状に接続している構造を有するものであり、
前記第二凹部は、前記第二固定部または第二電気接続部に配置されていることを特徴とする請求項６に記載のコネクタ端子セット。
【請求項８】
前記第一凹部が前記第一固定部に配置された場合、前記第一凹部の開口部が前記第一電気接続部に対して逆方向または同方向にするように配置されており、
前記第一凹部が前記第一電気接続部に配置された場合、前記第一凹部の開口部に対して逆方向または同方向にするように配置されており、
前記第二凹部が前記第二固定部に配置された場合、前記第二凹部の開口部が前記第二電気接続部に対して逆方向または同方向にするように配置されており、
前記第二凹部が第二電気接続部に配置された場合、前記第二凹部の開口部が前記第二固定部に対して逆方向または同方向にするように配置されていることを特徴とする請求項７に記載のコネクタ用端子セット。
【請求項９】
前記突出部は、前記第二固定部または前記第二電気接続部に配置されていることを特徴とする請求項７記載のコネクタ用端子セット。
【請求項１０】
前記突出部は、前記信号端子と横方向に第三間隔を置いて配置されており、前記第一間隔は前記第三間隔と等しいであるか又はそれより大きいことを特徴とする請求項６記載のコネクタ用端子セット。
【請求項１１】
前記接地端子の横幅は前記信号端子の横幅より小さいことを特徴とする請求項６記載のコネクタ用端子セット。
【請求項１２】
前記第一電気接続部の端部と前記第二電気接続部の端部はそれぞれアーク状の電気接続部を備えていることを特徴とする請求項７記載のコネクタ用の端子セット。
【請求項１３】
前記第一固定部の端部と前記第二固定部の端部は、それぞれ前記第一電気接続部及び前記第二電気接続部に対して逆方向または同方向にするように配置されており、かつ固定接続部を延伸して有するものであることを特徴とする請求項７記載のコネクタ用の端子セット。
【考案の詳細な説明】
【技術分野】
【０００１】
本考案は、コネクタ用端子セットに関する。特に、端子の抵抗を調整できると共に端子同士間の共振現象を改善したコネクタ端子セットに関する。
【背景技術】
【０００２】
工業が発達している現代社会において、各製造会社は、いずれも製造工程における監視、制御、測定または記録などの動作を実行できる先端の電子設備を備えている。それらの電子設備の間には、少なくとも、通信またはデータの伝送をする用のコネクタ装置を一つ以上設けている。ただし、従来のコネクタの端子では、電気接続及び電子信号の伝送を機能することが可能であるが、製造工程の変更に応じて端子の抵抗を調整することができない。また、このような従来のコネクタの端子同士間に共振現象を引き起こすという問題がよく発生する。
【考案の概要】
【考案が解決しようとする課題】
【０００３】
そのため、本考案が解決しようとする課題は、端子の抵抗を調整できると共に端子同士間の共振現象を改善したコネクタ用端子セットを提供することにある。
【０００４】
上記に述べた従来技術の問題点に鑑みて、本案考案者らは、長年の経験および関連知識を運用する下に、その改善方策を鋭意検討し、技術上の困難点を克服するにより、端子の抵抗を調整できると共に、端子同士間の共振現象を改善したコネクタ用端子セットを開発することを目的とする。
【課題を解決するための手段】
【０００５】
上記目的を達成するために、本考案に係わる第一形態のコネクタ用端子セットは、一対の信号端子セットと一対の接地端子セットを有する。一対の前記信号端子セットは、二つの信号端子を備える。又、二つの前記信号端子は横方向に所定の間隔を置いて配置され、かつそれぞれ第一凹部を有する。前記第一凹部は前記信号端子の長手方向に向いて開口される。一対の前記接地端子セットは、それぞれ第二凹部を備える。前記第二凹部は前記接地端子の長手方向に向いて開口される。前記接地端子と前記信号端子は横方向に所定の間隔を置いて配置される。
【０００６】
上記のコネクタ用端子セットにおいて、二つの信号端子は、それぞれ第一電気接続部と第一固定部とをＶ字状に接続する構造を備えている。また、前記第一凹部は、前記第一固定部または前記第一電気接続部に配置される。二つの前記接地端子はそれぞれ第二電気接続部と第二固定部とをＶ字状に接続する構造を備えている。前記第二凹部は前記第二固定部または前記第二電気接続部に配置される。
【０００７】
上記コネクタ用端子セットにおいて、前記第一凹部が前記第一固定部に配置された場合には、前記第一凹部の開口部は、前記第一電気接続部に対して逆方向または同方向にするように配置されている。前記第二凹部が前記第二固定部に配置された場合には、前記第二凹部の開口部が、前記第二電気接続部に対して逆方向または同方向にするように配置される。前記第二凹部が第二電気接続部に配置された場合には、前記第二凹部の開口部が前記第二固定部に対して逆方向または同方向にするように配置されている。
【０００８】
上記コネクタ用端子セットにおいて、上記第一接続部の端部及び上記第二電気接続部の端部はそれぞれアーク状の電気接続部を備える。
【０００９】
上記コネクタ用端子セットにおいて、前記第一固定部の端部及び前記第二固定部の端部はそれぞれ第一電気接続部及び第二電気接続部に対して逆方向または同方向にするように配置されており、かつ固定接続部を延伸して有するものである。
【００１０】
又、本考案は、第二形態であるその他のコネクタ用の端子セットを更に提供している。当該コネクタ用の端子セットは、二つの信号端子を有する一対の信号端子セットと、二つの接地端子を有する一対の接地端子セットとを有する。二つの前記信号端子は、互いに横方向に第一間隔を置いて配置され、かつそれぞれ第一凹部を備えている。前記第一凹部は信号端子の長手方向に向いて開口されている。一対の前記信号端子は二つの前記接地端子の間に配置されている。前記接地端子はそれぞれ第二凹部を有する。前記第二凹部は接地端子の長手方向に向いて開口されている。前記接地端子は前記信号端子と横方向に第二間隔を置いて配置されている。前記第一間隔は前記第二間隔より小さい。前記接地端子はそれぞれ横方向に少なくとも一つの突出部を有する。
【００１１】
上記コネクタ用端子において、前記信号端子はそれぞれ第一電気接続部と第一固定部をＶ字状に接続している構造を有するものであり、前記第一凹部は、前記第一固定部または前記第一電気接続部に配置されており、前記接地端子はそれぞれ第二電気接続部と第二固定部をＶ字状に接続している構造を有するものであり、前記第二凹部は、前記第二固定部または前記第二電気接続部に配置されている。
【００１２】
上記コネクタ用端子セットにおいて、前記第一凹部が前記第一固定部に配置された場合、前記第一凹部の開口部は前記第一電気接続部に対して逆方向または同方向にするように配置されている。前記第一凹部が前記第一電気接続部に配置された場合、前記第一凹部の開口部は第一凹部の開口部に対して逆方向同方向逆方向または同方向にするように配置されている。前記第二凹部が前記第二固定部に配置された場合、前記第二凹部の開口部は前記第二電気接続部に対して逆方向または同方向にするように配置されている。前記第二凹部が第二電気接続部に配置された場合、前記第二凹部の開口部は前記第二固定部に対して逆方向または同方向にするように配置されている。
【００１３】
上記コネクタ用端子セットにおいて、前記突出部は、前記第二固定部または前記第二電気接続部に配置されている。
【００１４】
上記コネクタ用端子セットにおいて、前記突出部は、信号端子と横方向に第三間隔を置いて配置されている。前記第一間隔は前記第三間隔と等しいであるか又はそれより大きい。
【００１５】
上記コネクタ用端子セットにおいて、前記接地端子の横幅は前記信号端子の横幅より小さい。
【００１６】
上記コネクタ用端子セットにおいて、前記第一電気接続部の端部と前記第二電気接続部の端部はそれぞれアーク状の電気接続部を備えている。
【００１７】
上記コネクタ用端子セットにおいて、前記第一固定部の端部と前記第二固定部の端部は、それぞれ前記第一電気接続部及び前記第二電気接続部に対して逆方向または同方向にするように配置されており、かつ固定接続部を延伸して有するものである。
【考案の効果】
【００１８】
上記に述べたように、本考案に係わるコネクタ用端子セットは、端子の抵抗を調整できると共に、端子同士間の共振現象を改善したものである。
【図面の簡単な説明】
【００１９】
【図１】本考案に係わる具体的実施例を示す立体模示図である。
【図２】図１の正面を示す正面模示図である。
【図３】図１の右側面を示す右側面模示図である。
【図４】図１の上から見下ろした俯瞰模示図である。
【図５】本考案に係わる具体的実施例の凹部を示す他の模示図である。
【図６】本考案に係わる具体的実施例の応用状態を示す分解模示図である。
【図７】本考案に係わる具体的実施例の応用状態を示す組立模示図である。
【図８】図７の正面を示す正面模示図である。
【図９】図８の断面を示す断面模示図である。
【考案を実施するための形態】
【００２０】
本考案の目的、特徴及び効果を一層明確するように、図面を参照しながら、本考案について下記の具体的実施例を以て以下に詳しく説明する。
【００２１】
図１〜図５に示すように、本考案に係わる第一形態のコネクタ用端子セット１は、一対の信号端子セット１１と一対の接地端子セット１２を含んでいる。その中、一対の前記信号端子セット１１は二つの前記信号端子１１１を有する。二つの前記信号端子１１１は互いに平行するように、横方向に所定の間隔を置いて配置されている。また、二つの前記信号端子１１１はそれぞれ前記第一凹部１１１２１を備えている。前記第一凹部１１１２１は、前記信号端子１１１の長手方向に向いて開口されている。前記第一凹部１１１２１によれば、信号端子１１１の横断面積を調整すること可能になり、又、これにより、前記信号端子１１１の抵抗の調整が可能になる。例えば、前記第一凹部１１１２１の深さが深いほど、前記信号端子１１１の横断面積は小さくなり、前記信号端子１１１の抵抗も大きくなる。逆に、第一凹部１１１２１の深さが浅いほど、前記信号端子の横断面積は大きくなり、前記信号端子の抵抗も弱くなる。なお、一対の前記接地端子１２は二つの前記接地端子１２１を有する。一対の前記信号端子１１は前記接地端子１２１の間に配置されている。二つの前記接地端子１２１はそれぞれ一つの前記第二凹部１２１２１を有する。前記第二凹部１２１２１は前記接地端子１２１の長手方向に向いて開口されている。前記第二凹部１２１２１によれば、前記接地端子１２１の横断面積を調整することが可能になり、又、これにより前記接地端子の抵抗を調整することもできる。例えば、前記第二凹部１２１２１の深さが深いほど、前記接地端子１２１の横断面積が小さくなり、前記接地端子１２１の抵抗も強くなる。逆に、前記第二凹部１２１２１の深さが浅いほど、前記接地端子１２１は横断面積が大きくなり、前記接地端子の抵抗が小さくなる。また、前記接地端子１２１と前記信号端子１１１は互いに平行するように横方向に所定の間隔を置いて配置される。
【００２２】
これにより、本考案に係わる第一形態であるコネクタ用端子セット１において、前記信号端子１１１及び前記接地端子１２１は、それぞれ第一凹部１１１２１と第二凹部１２１２１の深さを変更することにより、前記信号端子１１１と前記接地端子１２１の横断面積を調整することが可能になり、前記信号端子１１１及び前記接地端子１２１の抵抗を変更することができるようになるので、端子の抵抗を実際の需要に合わせて調整することができるという効果を果たしている。また、図１に示すように、複数の端子は、実際の需要に応じて複数の本考案に係わる第一形態のコネクタ用端子セット１を備えるものでもいい。
【００２３】
図１〜図５に示すように、前記信号端子１１１はそれぞれ前記第一電気接続部１１１１と前記第一固定部１１１２とをＶ字状に接続する構造を備えている。第前記一凹部１１１２１は前記第一固定部１１２（または前記第一電気接続部１１１１）に配置されている。前記第一固定部１１１２の下端部が回路基板または他の電気部品（図示していない）に固定接続や溶接で固定され、電子信号を伝送する。前記第一電気接続部１１１１と前記第一固定部１１１２のなす夾角は、鋭角、鈍角または直角のいずれでもよい。前記第一電気接続部１１１１の前端はデバイスの挿入端子（図示していない）と電気的に接続（電気接触）し、電子信号を伝送する。また、前記信号端子１１１は弾性を有するものでもよい。デバイスの挿入端子が前記第一電気接続部１１１１と電気的に接続（電気接触）された場合に、前記第一電気接続部１１１１の前端がデバイスの挿入端子に上がれ、前記第一電気接続部１１１１から生じる付勢力により、デバイスの挿入端子が下へ押さえるので、前記電気接続部１１１１がデバイスの挿入端子とを電気的に接続（電気接触）することを確保できる。また、前記接地端子１２１は、それぞれ前記第二電気接続部１２１１と前記第二固定部１２１２とをＶ字状に配置した構造を備えている。前記第二凹部１２１２１は前記第二固定部１２１２（または前記第二電気接続部１２１１）に配置されている。前記第二固定部１２１２の下端部は、回路基板または他の電気部品（図示していない）に固定接続や溶接で固定され、電気信号を伝送する。前記第二電気接続部１２１１と前記第二固定部１２１２のなす夾角は、鋭角、鈍角または直角のいずれでもよい。前記第二電気接続部１２１１の前端部はデバイスの挿入端子（図示していない）と電気的に接続（電気接触）し、電気信号を伝送する。前記信号端子１２１は弾性を有するものでもよい。デバイスの挿入端子が前記第二電気接続部１２１１と電気的に接続（電気接触）された場合に、デバイスの挿入端子が前記第二電気接続部１２１１の前端を上に押さえ、前記第二電気接続部１２１１から生じる付勢力により、デバイスの挿入端子を下へ押さえるので、前記第二電気接続部１２１１がデバイスの挿入端子とを電気的に接続（電気接触）することを確保できる。
【００２４】
図１〜図５に示すように、前記第一凹部１１１２１が前記第一固定部１１１２に配置された場合、前記第一凹部１１１２１の開口方向は第一電気接続部１１１１に対して逆方向または同方向にするように配置されている。上記と同様に、前記第一凹部１１１２１が前記第一電気接続部１１１１に配置された場合、前記第一凹部１１１２１の開口方向は前記第一固定部１１１２に対して逆方向または同方向にするように配置されている。また、前記第二凹部１２１２１が第二固定部１２１２に配置された場合、前記第二凹部１２１２１の開口方向は前記第二電気接続部１２１１に対して逆方向または同方向にするように配置されている。上記と同様に、前記第二凹部１２１２１が前記第二電気接続部１２１１に配置された場合、前記第二凹部１２１２１の開口方向は前記第二固定部１２１２に対して逆方向または同方向にするように配置されている。
【００２５】
図１と図２に示すように、前記第一電気接続部１１１１の前端部及び前記第二電気接続部１２１１の前端部がアーク状の電気接続部１１１３、１２１３を備えている。デバイスの挿入端子（図示していない）が前記第一固定部１１１２と前記第二固定部１２１２に向いて横方向に移動して前記第一電気接続部１１１１の前端部及び前記第二電気接続部１２１１の前端部を上へ押さえると、デバイスの挿入端子はアーク状の電気接続部の平滑な下縁に沿ってスムーズに前記第一電気接続部１１１１の前端部及び前記第二電気接続部１２１１の前端部を上へ押さえるので、省力及び摩損低減の効果を果たしている。
【００２６】
図１と図２に示すように、前記第一固定部１１１２の下端部と前記第二固定部１２１２の下端部はそれぞれ前記第一電気接続部１１１１と前記第二電気接続部１２１２に対して逆方向（または同方向）になるように配置され、水平方向に延伸している固定接続部１１１４、１２１４を有する。前記固定接続部１１１４、１２１４により、前記第一固定部１１１２の下端部と前記第二固定部１２１２部の下端とはより広い固定面積によって回路基板または他の電気構造（図示していない）に固定接続や溶接で固定されることができるので、固定力向上の効果を果たしている。
【００２７】
図１〜図５に示すように、本考案に係わる第二形態のコネクタ用端子セット１は一対の前記信号端子セット１１と一対の前記接地端子セット１２を含んでいる。その中、一対の前記信号端子セット１１は二つの前記信号端子１１１を有する。二つの前記信号端子１１１は互いに平行するように、横方向に間隔１３（二つの前記信号端子１１１同士間の最も近い距離）を置いて配置される。前記信号端子１１１はそれぞれ第一凹部１１１２１を有する。前記第一凹部１１１２１は前記信号端子１１１の長手方向に向いて開口される。前記第一凹部１１１２１によれば、前記信号端子１１１の横断面積を調整することが可能になり、更に前記信号端子１１１の抵抗を調整することも可能になる。例えば、第一凹部１１１２１の深さが深いほど、前記信号端子１１１の横断面積が狭くなり、前記信号端子１１１の抵抗が大きくなる。逆に、前記第一凹部１１１２１の深さが浅いほど、前記信号端子１１１の横断面積は広くなり、前記信号端子１１１の抵抗が小さくなる。一対の前記接地端子セット１２は二つの前記接地端子１２１を有し、一対の前記信号端子セット１１は二つの前記接地端子１２１の間に配置される。前記接地端子１２１は前記第二凹部１２１２１を備えている。前記第二凹部１２１２１は前記接地端子１２１の長手方向に向いて開口されている。前記第二凹部１２１２１によれば、前記接地端子１２１の横断面積を調整することが可能になり、更に前記接地端子１２１の抵抗を調整することも可能になる。例えば、前記第二凹部１２１２１の深さが深いほど、前記接地端子１２１の横断面積は小さくなり、前記接地端子１２１の抵抗も大きくなる。逆に、前記第二凹部１２１２１の深さが浅いほど、前記接地端子１２１の横断面積が大きくなり、接地端子の抵抗は小さくなる。さらに、前記接地端子１２１は前記信号端子１１１と互いに平行するように、横方向に第二間隔１４（前記突出部１２１５を除外する前記接地端子１２１と信号端子１１１の間の最も近い距離）を置いて配置される。前記第一間隔１３は前記第二間隔１４より小さい。そして、前記接地端子１２１は横方向に少なくとも一つの前記突出部１２１５を有する。前記突出部１２１５は前記接地端子１２１の左側、右側或いは両側に配置されている。
【００２８】
このようにして、本考案に係わる第二形態のコネクタ用端子セット１において、前記信号端子１１１及び前記接地端子１２１は、前記第一凹部１１１２１と前記第二凹部１２１２１により前記信号端子１１１と前記接地端子１２１の横断面積を調整することが可能になり、前記信号端子１１１と前記接地端子１２１の抵抗を調整することができるので、実際の需要に応じて端子の抵抗を調整する効果が得られる。また、本考案に係わる第二形態のコネクタ用端子セット１において、前記信号端子１１１と前記接地端子１２１は、第一間隔１３を第二間隔１４より小さくすることにより、前記突出部１２１５との共振現象を改善することができる。なお、図１に示すように、実際の需要に応じて複数の端子は本考案に係わる第二様態のコネクタ用端子セット１を複数設けたものでもよい。
【００２９】
図１〜図５に示すように、前記信号端子１１１は前記第一電気接続部１１１１と前記第一固定部１１１２とを連接して形成したＶ字型の構造を備えており、前記第一凹部１１１２１は前記第一固定部１１２（または前記第一電気接続部１１１１）に配置され、前記第一固定部１１１２の下端部を回路基板、または他の電気構造（図示していない）に固定接続や溶接で固定され、電子信号を伝送する。前記第一電気接続部１１１１と前記第一固定部１１１２のなす夾角は、鋭角、鈍角または直角のいずれでもよい。前記第一電気接続部１１１１の前端部は、挿入先の端子（図示していない）と電気的に接続（電気接触）し、電子信号を伝送する。また、前記信号端子１１１は弾性を有するものでもよい。デバイスの挿入端子が前記第一電気接続部１１１１と電気的に接続（電気接触）すると、デバイスの挿入端子は前記第一電気接続部１１１１の前端部を上へ押さえ、前記第一電気接続部１１１１から生じる付勢力により、デバイスの挿入端子を下へ押さえるので、前記第一電気接続部１１１１をデバイスの挿入端子との電気的接続（電気接触）を確保できる。また、前記接地端子１２１は、前記第二電気接続部１２１１と前記第二固定部１２１２とを連接して形成したＶ字型の構造を有し、前記第二凹部１２１２１は前記第二固定部１２１２（または前記第二電気接続部１２１１）に配置され、前記第二固定部１２１２の下端部は、回路基板または他の電気構造（図示していない）に固定接続や溶接で固定され、電気信号を伝送する。前記第二電気接続部１２１１と前記第二固定部１２１２のなす夾角は、鋭角、鈍角または直角のいずれでもよい。前記第二電気接続部１２１１の前端部をデバイスの挿入端子（図示していない）と電気的に接続（電気接触）し、電子信号を伝送する。また、前記接地端子１２１は弾性を有するものでもよい。デバイスの挿入端子が前記第二電気接続部１２１１と電気的に接続（電気接触）すると、デバイスの挿入端子は前記第二電気接続部１２１１の前端を上へ押さえ、前記第二電気接続部１２１１から生じる付勢力により、デバイスの挿入端子を下へ押さえるので、前記第二電気接続部１２１１とデバイスの挿入端子との電気的接続（電気接触）を確保できる。
【００３０】
図１〜図５に示すように、前記第一凹部１１１２１は前記第一固定部１１１２に配置された場合に、第一凹部１１１２１は第一電気接続部１１１１に対して逆方向または同方向にするように配置される。上記と同様に、前記第一凹部１１１２１が前記第一電気接続部１１１１に配置された場合、前記第一凹部１１１２１は前記第一固定部１１１２に対して逆方向または同方向にするように配置される。また、前記第二凹部１２１２１が前記第二固定部１２１２に配置された場合に、前記第二凹部１２１２１は前記第二電気接続部１２１１に対して逆方向または同方向にするように配置される。上記と同様に、前記第二凹部１２１２１が前記第二電気接続部１２１１に配置された場合に、前記第二凹部１２１２１は前記第二固定部１２１２に対して逆方向または同方向にするように配置される。
【００３１】
図１〜図５に示すように、設計、組立または製造上の多様なニーズに応じて、突出部１２１５は前記第二固定部１２１２、または前記第二電気接続部１２１１に配置されてもいい。
【００３２】
図１と図３に示すように、前記突出部１２１５と前記信号端子１１１は、互いに横方向に第三間隔１５を置いて配置される。前記第一間隔１３は前記第三間隔１５と等しいであるか又はそれより大きい。前記突出部１２１５、前記突出部１２１５と前記信号端子１１１の間の前記第一間隔１５は、前記信号端子１１１間の前記第一間隔１３と等しいであるか又はそれより大きい。このようにすると、前記突出部１２１５を除外する前記接地端子１２１の部分が信号端子１１１から遠く離れるので、前記第一間隔１３が前記第二間隔１４より小さくすると共に、端子同士間の共振現象を改善する効果を果たしている。
【００３３】
図１と図３に示すように、前記接地端子１２１の前記横幅１２１６（前記突出部１２１５を除外する部分の横幅）は、前記信号端子１１１の前記横幅１１１６より小さくてもよい。前記接地端子１２１の前記横幅１２１６の縮減により、前記接地端子の前記横幅１２１６が前記信号端子１１１の前記横幅１１１６より小さくなり、さらに前記接地端子１２１が前記信号１１１から遠く離れるので、前記第一間隔１３が第二間隔１４より小さくなると共に、端子同士間の共振現象を改善した効果を実現している。
【００３４】
図１と図２に示すように、前記第一電気接続部１１１１の前端部と前記第二電気接続部１２１１の前端部はそれぞれアーク状の電気接続部１１１３、１２１３を備えている。デバイスの挿入端子（図示していない）が前記第一固定部１１１２及び前記第二固定部１２１２に向かい水平移動すると共に、前記第一電気接続部１１１１の前端部及び前記第二電気接続部１２１１の前端部を上へ押さえる場合に、デバイスの端子は、アーク状の電気接続部１１１３、１２１３の平滑な下縁により、前記第一電気接続部１１１１の前端部と前記第二電気接続部１２１１の前端部をスムーズに上へ押さえるので、省力と摩損軽減という効果を果たしている。
【００３５】
図１と図２に示すように、前記第一固定部１１１２の下端部及び前記第二固定部１２１２の下端部は、前記第一電気接続部１１１１及び前記第二電気接続部１２１２に対して逆方向（または同方向）にするように配置され、水平方向に延伸している固定接続部１１１４、１２１４を備えている。前記固定接続構造１１１４、１２１４により、前記第一固定部１１１２の下端部と前記第二固定部１２１２の下端部が、回路基板または他の電気構造（図示していない）に固定接続や溶接で固定する面積はより広くなるので、固定力を上げる効果を達成することができる。
【００３６】
図６〜図９に示すように、本考案に係わるコネクタ用端子セット１は、例えば、インサート成形方法を使用して端子台３に結合された後、前記下部端子セット２と共にハウジング４に組立てることによりコネクタを形成した。次いで、デバイスの挿入端子（図示していない）は、前記ハウジング４のスロット４１からコネクタに挿入することにより、前記端子セット１と前記下部端子２とを電気接続させる。また、図１と図６に示すように、コネクタ用端子セット１が端子台３と結合される場合に、前記信号端子１１１の前記第一凹部１１１２１、接地端子の前記第二凹部１２１２１及び前記突出部１２１５により、前記信号端子１１１及び前記接地端子１２１は端子台３に係止されるので、固定接続の効果を果たすのができる。
【産業上の利用可能性】
【００３７】
前記に述べたように、本考案に係わるコネクタ用端子セット１をコネクタの上部端子に用いた例を挙げしたが、本考案に係わるコネクタ用端子セット１はコネクタの下部端子に適用することができる。
【符号の説明】
【００３８】
１  コネクタ用端子セット、１１  信号端子セット、１１１  信号端子、１１１１  第一電気接続部、１１１２  第一固定部、１１１２１  第一凹部、１１１３  弧形電気接続部、１１１４  固定接続部、１１１６  横幅、１２  接地端子セット、１２１  接地端子、１２１１  第二電気接続部、１２１２  第二固定部、１２１２１  第二凹部、１２１３  アーク状の電気接続部、１２１４  固定接続部、１２１５  突出部、１２１６  横幅、１３  第一間隔、１４  第二間隔、１５  第三間隔、２  下部端子セット、３  端子台、４  ハウジング、４１  スロット。
【図１】
0003186515.tif 000003
【図２】
0003186515.tif 000004
【図３】
0003186515.tif 000005
【図４】
0003186515.tif 000006
【図５】
0003186515.tif 000007
【図６】
0003186515.tif 000008
【図７】
0003186515.tif 000009
【図８】
0003186515.tif 000010
【図９】
0003186515.tif 000011